(57)【特許請求の範囲】
【請求項１】
ＰＯＳ親機と複数のＰＯＳ端末とを有するＰＯＳシステムにおいて、
前記ＰＯＳ端末の各々には、売上保留の際、売上保留データを前記ＰＯＳ親機に送出する第１の送出手段と、保留解除の際、呼び出すべき売上保留データを指定する保留データナンバーを保留サーチデータとして、前記ＰＯＳ親機へ送出する第２の送出手段と、前記ＰＯＳ親機から保留回答データを受け、該保留回答データに応じて会計操作を行う会計手段と、該会計操作が終了すると前記ＰＯＳ親機にクリア指令を送る第３の送出手段とが備えられ、
前記ＰＯＳ親機には、前記売上保留データを蓄積する蓄積手段と、前記保留サーチデータに応答して前記蓄積手段をサーチして前記売上保留データを前記保留回答データとして前記ＰＯＳ端末に送るサーチ手段と、前記クリア指令に応じて前記サーチした売上保留データをクリアするクリア手段とが備えられている
ことを特徴とするＰＯＳシステム。
【請求項２】
請求項１に記載されたＰＯＳシステムにおいて、前記サーチ手段は、前記蓄積手段をサーチして前記蓄積手段に前記売上保留データが存在しない場合には、前記ＰＯＳ端末に「保留データ無し」を送出するようにしたことを特徴とするＰＯＳシステム。
【請求項３】
請求項１に記載されたＰＯＳシステムにおいて、前記ＰＯＳ親機には、前記ＰＯＳ端末のうちの一つから前記保留サーチデータを受けた際、該保留サーチデータと同一の保留サーチデータに対応する売上保留データが他のＰＯＳ端末から呼び出されて処理されている場合、後からの呼び出しをロックする排他制御手段が備えられていることを特徴とするＰＯＳシステム。
【請求項４】
請求項１に記載されたＰＯＳシステムにおいて、前記ＰＯＳ端末の各々には、前記蓄積手段に蓄積された全売上保留データを呼び出す保留発行リスト指令を前記ＰＯＳ親機に送出する第４の送出手段と、前記ＰＯＳ親機から全保留回答データを受け保留発行リストを出力する出力手段とが備えられ、前記ＰＯＳ親機には前記保留発行リスト指令に応答して前記蓄積手段をサーチして前記全保留回答データを前記ＰＯＳ端末に送る回答手段が備えられていることを特徴とするＰＯＳシステム。
【請求項５】
請求項１に記載されたＰＯＳシステムにおいて、前記ＰＯＳ端末の各々には前記ＰＯＳ親機との接続が断である際に売上保留を行う場合に前記売上保留データを内蔵子機保留エリアに蓄積する保留手段が備えられており、前記会計手段は保留解除となると前記内蔵子機保留エリアをサーチしてサーチ結果に応じて会計操作を行うようにしたことを特徴とするＰＯＳシステム。
【請求項６】
請求項５に記載されたＰＯＳシステムにおいて、前記ＰＯＳ端末の各々には前記ＰＯＳ親機との接続がオンとなると、売上データ及び売上保留データを前記ＰＯＳ親機に送る第４の送出手段が備えられており、前記ＰＯＳ親機には前記売上データを集計するとともに前記売上保留データを前記蓄積手段に蓄積する処理手段が備えられていることを特徴とするＰＯＳシステム。
【発明の詳細な説明】
【０００１】
【発明の属する技術分野】
本発明はＰＯＳシステムに関し、特に、売上データをタンキングデータ（蓄積データ）として一括管理するシステムに関する。
【０００２】
【従来の技術】
一般に、ＰＯＳシステムとして、複数のＰＯＳ端末（スレーブ機：子機）を備えるとともにこれらＰＯＳ端末に接続されたマスター機（親機）を備えるシステムが知られている。このようなＰＯＳシステムでは、タンキングデータをマスター機及びスレーブ機で別々に蓄積している関係上、タンキングデータを一括して管理することが難しい。
【０００３】
さらに、従来のＰＯＳシステムでは、一時的に売上データを保留した際、売上保留を行ったＰＯＳ端末（子機）で保留解除できるだけであり、親機及び子機で売上データを共有することが難しい。
【０００４】
【発明が解決しようとする課題】
上述のように、従来のＰＯＳシステムでは、マスター機で売上データをタンキングデータとして一括管理することができず、その結果、店舗を効率的に運用することが難しいという問題点がある。
【０００５】
さらに、従来のＰＯＳシステムでは、親機及び子機で売上データを共有することができず、会計操作等を効率的に行うことが難しいという問題点がある。
【０００６】
本発明の目的は売上データをタンキングデータとしてマスター機で一括管理して効率的な運用を行うことのできるＰＯＳシステムを提供することにある。
【０００７】
本発明の他の目的は親機及び子機で売上データを共有して会計操作等を効率的に行うことのできるＰＯＳシステムを提供することにある。
【０００９】
【課題を解決するための手段】
本発明によれば、ＰＯＳ親機と複数のＰＯＳ端末とを有するＰＯＳシステムにおいて、前記ＰＯＳ端末の各々には、売上保留の際売上保留データを前記ＰＯＳ親機に送出する第１の送出手段と、保留解除の際、呼び出すべき売上保留データを指定する保留データナンバーを保留サーチデータとして、前記ＰＯＳ親機へ送出する第２の送出手段と、前記ＰＯＳ親機から保留回答データを受け、該保留回答データに応じて会計操作を行う会計手段と、該会計操作が終了すると前記ＰＯＳ親機にクリア指令を送る第３の送出手段とが備えられ、前記ＰＯＳ親機には、前記売上保留データを蓄積する蓄積手段と、前記保留サーチデータに応答して前記蓄積手段をサーチして前記売上保留データを前記保留回答データとして前記ＰＯＳ端末に送るサーチ手段と、前記クリア指令に応じて前記サーチした売上保留データをクリアするクリア手段とが備えられていることを特徴とするＰＯＳシステムが得られる。
【００１０】
【発明の実施の形態】
以下本発明について図面を参照して説明する。
【００１１】
まず、図１を参照して、図示のＰＯＳシステムは複数のＰＯＳ端末（スレーブ機：子機（図１には一台だけ示す）１１とマスター機１２とを備えている。
【００１２】
マスター機１２にはメモリ（タンキングメモリ）１２ａが備えられており、このメモリ１２ａにすべてのスレーブ機１１の売上データ等がタンキングデータとして蓄積される。
【００１３】
図１（ａ）に示すように、スレーブ機１１からマスター機１２にタンキングデータをタンキングする際には、スレーブ機１１はタンキングモードとなって、スレーブ機１１からマスター機１２にタンキングデータが転送される。タンキングデータを受けると、マスター機１２はメモリ１２ａにタンキングデータを蓄積する。
【００１４】
スレーブ機１１からタンキングデータを呼び出す際には、図１（ｂ）に示すように、スレーブ機１１はタンキングデータ呼び出しモードとなって、タンキングデータナンバー（タンキングデータＮｏ．）がスレーブ機１１からマスター機１２に与えられる。タンキングデータナンバーを受けると、マスター機１２ではタンキングデータナンバーに基づいてメモリ１２ａをデータ検索して該当するタンキングデータをスレーブ機１１に送る。
【００１５】
例えば、スレーブ機１１がタンキングデータに応じて会計処理等を行って、スレーブ機１１から会計終了コマンドを受けると、マスター機１２は該当するタンキングデータをクリアする。なお、複数のスレーブ機から同一のタンキングデータナンバーが送られてきた際には、予め定められた排他制御が行われ、会計終了コマンドを受けてもクリア処理は行われない。
【００１６】
このように、マスター機１２で一括してタンキングデータ（売上データ）の管理を行っているので、各ＰＯＳ端末からタンキングデータの呼び出しができる。その結果、店舗を効率的に運用することができる。
【００１７】
図２を参照して、本発明によるＰＯＳシステムの他の例について説明する。図示の例では、飲食店等において、レジで注文・会計する際、一時的に売上を保留する例が示されている。図示の例では、親機２１と子機２２及び２３とが備えられており、いま、親機２１と子機２２及び２３とが接続状態であり、子機２２及び２３で売上保留が発生すると、子機２２及び２３は売上保留データを親機２１に送信する。そして、親機２１は売上保留データをメモリへ蓄積（タンキング）する。つまり、売上保留エリアに売上保留データをタンキングする。
【００１８】
子機２２が売上再保留を行う際には、子機２２が保留解除を行い、保留データナンバー（保留Ｎｏ．）を保留サーチデータとして入力すると、親機２１は保留Ｎｏ．で売上保留エリアをサーチして、保留回答データを子機２２に与える。そして、子機２２で商品の追加入力があって、再び売上保留が発生すると、前述のように、子機２２から親機２１へ保留データが送られる。親機２１は保留データを売上保留エリアにタンキングする。
【００１９】
子機２２が売上会計を行う際には、子機２２が保留解除を行い、保留データナンバー（保留Ｎｏ．）を保留サーチデータとして入力すると、親機２１は保留Ｎｏ．で売上保留エリアをサーチして、保留回答データを子機２２に与える。そして、子機２２で商品の追加入力が行われた後、会計操作が行われる。その後、子機２２から保留データクリアが行われ、親機２１は該当する保留データをメモリからクリアする。
【００２０】
図３を参照して、いま、親機２１と子機２２及び２３とが接続状態であり、子機２２及び２３で売上保留が発生すると、子機２２及び２３は売上保留データを親機２１に送信する。そして、親機２１は売上保留データをメモリへ蓄積（タンキング）する。つまり、売上保留エリアに売上保留データをタンキングする。
【００２１】
子機２２が売上再保留を行う際には、子機２２が保留解除を行い、保留データナンバー（保留Ｎｏ．）を保留サーチデータとして入力すると、親機２１は保留Ｎｏ．で売上保留エリアをサーチして、保留回答データを子機２２に与える。そして、子機２２で商品の追加入力があって、再び売上保留が発生すると、前述のように、子機２２から親機２１へ保留データが送られる。親機２１は保留データを売上保留エリアにタンキングする。
【００２２】
この際、子機２３が保留解除を行って、同一の保留Ｎｏ．（例えば、Ｎｏ．１０１）を保留サーチデータとして、親局２１に送ると、親局２１ではこの保留Ｎｏ．でサーチを試みるが、保留データ処理中であると、親局２１は子機２３に対して保留ロック回答（処理中）を送る。そして、子機２３は処理中エラーを表示する。
【００２３】
このように、売上保留データが他のＰＯＳ端末によって呼び出されて処理されている際には、親機２１は保留データが呼び出せないようにロックをかける。つまり、親機２１は排他制御を行う。
【００２４】
図４を参照して、いま、親機２１と子機２２及び２３とが接続状態であり、前述のように、子機２２が保留解除を行い、保留データナンバー（保留Ｎｏ．）を保留サーチデータとして入力すると、親機２１は保留Ｎｏ．で売上保留エリアをサーチする。サーチの結果、保留データが存在しないと、親機２１は保留データ無しを示す保留回答データを子機２２に与える。これによって、子機２２は保留データ無しエラーを表示する。
【００２５】
また、子機２２から保留リストの発行を行う際には、保留発行リストが子機２２から親機２１に与えられる。これによって、親機２１では全保留Ｎｏ．のデータをサーチして、保留Ｎｏ．全データを保留回答データとして子機２２に送る。その結果、子機２２は保留発行リストを出力する。
【００２６】
図５を参照して、いま、親機２１と子機２２とが接続状態でない場合において、子機２２で売上保留が発生すると、子機２２は売上保留データを内蔵の子機保留エリアに格納する。子機２２で保留解除を行うと、子機２２は内蔵の子機保留エリアをサーチして保留サーチデータを得る。そして、この保留サーチデータに基づいて会計操作を行う。
【００２７】
子機２２と親機２３とが接続状態になると（接続ＯＮ）、子機２２は売上データ及び売上保留データを親機２１に送る。親機２１は売上データを集計するとともに売上保留データを売上保留エリアにタンキングする。
【００２８】
このようにして、売上保留データを親機で管理して、いずれのＰＯＳ端末からも売上保留データの保留解除を行うことができる。つまり、実質的に親機及び子機で売上保留データを共有するようにしたので、会計操作を効率的に行うことができる。
【００２９】
【発明の効果】
以上説明したように、本発明では、売上データをタンキングデータとしてマスター機（親機）で一括管理するようにしたから、店舗を効率的に運用することができるという効果がある。
【００３０】
さらに、本発明では、親機及び子機で売上データを実質的に共有するようにしたから、会計操作等を効率的に行うことのできるという効果がある。
【図面の簡単な説明】
【図１】本発明によるＰＯＳシステムの一例を説明するための図である。
【図２】本発明によるＰＯＳシステムの他の例を説明するための図である。
【図３】本発明によるＰＯＳシステムの他の例を説明するための図である。
【図４】本発明によるＰＯＳシステムの他の例を説明するための図である。
【図５】本発明によるＰＯＳシステムの他の例を説明するための図である。
【符号の説明】
１１，２２，２３    スレーブ機（子機）
１２，２１    マスター機（親機）
【図１】
0003949792.tif 000002
【図２】
0003949792.tif 000003
【図３】
0003949792.tif 000004
【図４】
0003949792.tif 000005
【図５】
0003949792.tif 000006